(57)【要約】      （修正有）【課題】機械的な理由により昇降レバーが下降位置より戻らなくなった場合でも、安全なトースターを提供する。【解決手段】本体内に設けられた加熱部としてのヒーター１３と、前記本体内に昇降可能に設けられたパン受け部と、このパン受け部を昇降操作するための昇降レバーと、この昇降レバーを下降位置で保持する保持手段としての係止爪部、可動係止体及び電磁石２０と、制御ユニット４とを備える。この制御ユニット４は、計時手段としてのタイマー２６と、このタイマー２６の計時終了後に前記ヒーター１３への通電を遮断するリレー２５を有する。そして、前記ヒーター１３への通電を遮断した後、前記電磁石１２への通電を遮断して前記昇降レバーを非保持状態にする。これによって、設定時間が経過すれば前記ヒーター１３への通電を遮断するので、トースター１の安全性を高めることができる。【選択図】図３
2015159908.tif 000002
【特許請求の範囲】
【請求項１】
本体内に設けられた加熱部と、
前記本体内に昇降可能に設けられたパン受け部と、
このパン受け部を昇降操作するための昇降レバーと、
この昇降レバーを下降位置で保持する保持手段と、
計時手段を有し、この計時手段の計時終了後に前記保持手段への通電を遮断して前記昇降レバーを非保持状態にする制御手段とを備えるトースターにおいて、
前記制御手段が、前記計時手段の計時に基づき前記加熱部への通電と非通電を切り替える切替手段を有することを特徴とするトースター。
【請求項２】
前記制御手段が、前記計時手段の計時終了後に、前記加熱部への通電を遮断するよう、前記切替手段を制御することを特徴とする請求項１に記載のトースター。
【請求項３】
前記制御手段が、前記保持手段が前記昇降レバーを下降位置で保持した後に、加熱部への通電を実行するよう、前記切替手段を制御することを特徴とする請求項１又は請求項２に記載のトースター。
【請求項４】
前記制御手段が、前記計時手段の計時終了後、前記加熱部への通電を遮断するよう前記切替手段を制御した後に、前記保持手段への通電を遮断し、前記昇降レバーを非保持状態にすることを特徴とする請求項１乃至請求項３の何れか１項に記載のトースター。
【発明の詳細な説明】
【技術分野】
【０００１】
本発明はトースターに関するものであり、特に、いわゆるポップアップ式と呼ばれるトースターに関するものである。
【背景技術】
【０００２】
従来、この種のトースターとしては、本体の上部にスライスした食パンを挿入するパン挿入口を設け、このパン挿入口から挿入された食パンを、本体内部の加熱部によって加熱調理するものが広く知られている。例えば、特許文献１には、使用者が予め回動摘みを操作して食パンの焼き時間を適宜調整し、昇降レバーを下げることで、前記食パンをヒーター間に配置し、設定された時間が経過すると昇降レバーが上昇し、前記ヒーターによって焼かれた前記食パンがパン挿入口から取り出し可能となるトースターが開示されている。
【０００３】
図６は、従来のトースターの回路図である。同図において、１３は食パンを加熱調理する加熱部としてのヒーターである。このヒーター１３の両端にレバースイッチ２１，２２がそれぞれ接続され、ＡＣ１００Ｖの商用電源２７からの交流電流が、前記レバースイッチ２１、前記ヒーター１３および前記レバースイッチ２２からなる直列回路に供給される構成となっている。なお、前記レバースイッチ２１，２２は、前記昇降レバーが下降位置にある時に接点が閉じ、前記昇降レバーが上昇すると接点が開くように構成されている。また、前記ヒーター１３では、このヒーター１３の一端からの電圧レベルが所定の電圧Ｅ１である接続点１３ａにダイオード３０のアノードが接続され、前記ダイオード３０のカソードが、電磁石２０の一端に接続されている。そして、この電磁石２０の他端には、トランジスタ２８のコレクタ端子が接続され、前記トランジスタ２８のエミッタ端子に前記ヒーター１３の一端が接続され、所定の電圧Ｅ１が、前記ダイオード３０、前記電磁石２０、前記トランジスタ２８からなる直列回路に印加される構成となっている。また、前記接続点１３ａには、電源回路２３が接続され、この電源回路２３により制御回路２４に直流電流Ｉ０が供給される。前記トランジスタ２８のベース端子は、前記制御回路２４に接続されており、この制御回路２４により前記トランジスタ２８をＯＮ／ＯＦＦして切り替えて、前記電磁石２０への通電の開始／停止を行なう。また、前記制御回路２４は、タイマー２６を備え、このタイマー２６の計時終了後に、前記トランジスタ２８をＯＦＦするように構成されている。
【０００４】
次に上記構成のトースターに関し、その動作を説明する。使用者は予め前記タイマー２６の計時時間を設定する。食パンを開口部から挿入して昇降レバーを下げることで、前記レバースイッチ２１，２２の接点が閉じ、前記ヒーター１３に前記商用電源２７からの交流電圧が印加され、前記ヒーター１３に電流Ｉ１が流れる。また、前記電源回路２３に所定の電圧Ｅ１が供給され、前記制御回路２４に直流電圧Ｖ１が供給される。この時前記タイマー２６の設定した計時時間が終了していない場合は、前記制御回路２４により前記トランジスタ２８がＯＮに切り替えられ、前記電磁石２０への通電が開始され、この電磁石２０によって前記昇降レバーは下降位置に保持される。
【０００５】
そして、前記タイマー２６の設定した計時時間が終了すると、前記制御回路２４により前記トランジスタ２８がＯＦＦに切り替えられ、前記電磁石２０への通電を停止する。これによって、前記昇降レバーが非保持状態になって上昇することにより、前記レバースイッチ２１，２２の接点が開いて前記ヒーター１３への通電を停止する。
【先行技術文献】
【特許文献】
【０００６】
【特許文献１】特許第４５９７９０３号公報
【発明の概要】
【発明が解決しようとする課題】
【０００７】
しかしながら、上述した従来のトースターは、本体と前記昇降レバーの間に異物が付着した場合や、前記昇降レバーを上向きに付勢しているコイルバネが破断した場合等の、機械的な理由で前記昇降レバーが下降位置より戻らなくなった場合、計時時間の終了により前記電磁石２０の通電が停止しても、前記レバースイッチ２１，２２の接点が開かないという問題点があった。その結果、前記ヒーター１３が通電され続け、食パンが加熱され続ける為に、危険な状態になる虞があった。
【０００８】
また、上述した従来のトースターは、前記レバースイッチ２１，２２で前記ヒーター１３のＯＮ，ＯＦＦを行なうため、前記昇降レバーを押し下げて前記レバースイッチ２１，２２の接点が閉じた瞬間に前記ヒーター１３へ大きな電流Ｉ１が流れ、前記レバースイッチ２１，２２の接点から火花が発生することがあり、使用者から火花が見えた場合に使用者に不安感を与える虞があった。なお、前記レバースイッチ２１，２２の接点が開いた瞬間にも、同様に火花が発生することがある。
【０００９】
そこで、本発明は上記問題点に鑑み、機械的な理由で昇降レバーが下降位置より戻らなくなった場合でも、タイマーの設定した計時時間の終了によりヒーターへの通電を停止することができるトースターを提供することを第一の目的とする。
【００１０】
また、本発明は、レバースイッチの接点が開閉した瞬間に火花が発生しないトースターを提供することを第二の目的とする。
【課題を解決するための手段】
【００１１】
本発明の請求項１に記載のトースターは、本体内に設けられた加熱部と、前記本体内に昇降可能に設けられたパン受け部と、このパン受け部を昇降操作するための昇降レバーと、この昇降レバーを下降位置で保持する保持手段と、計時手段を有し、この計時手段の計時終了後に前記保持手段への通電を遮断して前記昇降レバーを非保持状態にする制御手段とを備えるトースターにおいて、前記制御手段が、前記計時手段の計時に基づき前記加熱部への通電と非通電を切り替える切替手段を有することを特徴とするものである。
【００１２】
また、本発明の請求項２に記載のトースターは、請求項１において、前記制御手段が、前記計時手段の計時終了後に、前記加熱部への通電を遮断するよう、前記切替手段を制御することを特徴とするものである。
【００１３】
また、本発明の請求項３に記載のトースターは、請求項１又は請求項２において、前記制御手段が、前記保持手段が前記昇降レバーを下降位置で保持した後に、加熱部への通電を実行するよう、前記切替手段を制御することを特徴とするものである。
【００１４】
更に、本発明の請求項４に記載のトースターは、請求項１乃至請求項３の何れか１項において、前記制御手段が、前記計時手段の計時終了後、前記加熱部への通電を遮断するよう前記切替手段を制御した後に、前記保持手段への通電を遮断し、前記昇降レバーを非保持状態にすることを特徴とするものである。
【発明の効果】
【００１５】
本発明の請求項１に記載のトースターによれば、機械的な理由で前記昇降レバーが下降位置より戻らなくなった場合でも、前記計時手段の設定した時間が経過した際に、前記加熱部への通電と非通電を切り替えることで、このトースターの安全性を高めることができる。
【００１６】
また、本発明の請求項２に記載のトースターによれば、機械的な理由で昇降レバーが下降位置より戻らなくなった場合でも、計時手段の設定した時間が経過した際に加熱部への通電を停止することで、食パンが加熱され続けて危険な状態になる虞を防止することができる。
【００１７】
また、本発明の請求項３に記載のトースターによれば、昇降レバーを押し下げてレバースイッチの接点が閉じた瞬間に加熱部へ大きな電流が流れることがなく、このレバースイッチの接点から火花が発生することを防止することができる。
【００１８】
また、本発明の請求項４に記載のトースターによれば、昇降レバーの上昇前には、レバースイッチの接点には大きな電流は流れておらず、昇降レバーが上昇してレバースイッチの接点が開いた瞬間に、このレバースイッチの接点から火花が発生することを防止することができる。
【図面の簡単な説明】
【００１９】
【図１】本発明の第１実施例を示すトースターの正面図である。
【図２】図1の要部の簡略説明図である。
【図３】図1のトースターの回路構成図である。
【図４】図３に対応した各部を流れる電流の動作波形図である。
【図５】本発明の第２実施例を示す回路構成図である。
【図６】従来例を示す回路構成図である。
【発明を実施するための形態】
【００２０】
以下、本発明の第１実施例について、図１乃至図４に基づいて説明する。なお、図６の従来例と同一のものについては同一の符号を付し、その説明を省略する。
【００２１】
トースター１は、上方に図示しない開口部を有する本体２と、この本体２内に設けられる焼成ユニット３と、制御ユニット４を有して構成されている。
【００２２】
前記本体２にはレバー用溝５が形成されており、このレバー用溝５に昇降レバー６が昇降自在に設けられている。この昇降レバー６の昇降に連動して、パン受け部７が昇降するように構成されている。また、前記本体２には、摘み用凹部８が形成されており、この摘み用凹部８から突出した図示しない可変抵抗の回動軸に、回動摘み９が取り付けられている。前記可変抵抗は、食パンの焼き時間を調節するためのものである。更に、前記本体２は、取消等の各種操作手段１０を備えている。
【００２３】
前記焼成ユニット３は、金属筐体１１を有しており、この金属筐体１１の正面に、一対の貫通溝１２が上下方向に形成されている。また、前記金属筐体１１の内側には、加熱部としてのヒーター１３が対向して設けられている。更に、前記金属筐体１１の内側には、前記ヒーター１３間で食パンを昇降させる前記パン受け部７が設けられている。このパン受け部７の一端は、前記貫通溝１２を介して前記金属筐体１１の外部に露出していると共に、前記昇降レバー６に接続されている。また、この昇降レバー６には、この昇降レバー６と共に昇降可能に設けた昇降体１４を備えている。
【００２４】
そして、前記昇降体１４には、コイルバネ１５の下端が接続されていると共に、このコイルバネ１５の上端は、前記金属筐体１１の外面上部に接続されている。そして、このコイルバネ１５により、前記昇降レバー６及び昇降体１４には上向きの付勢力が付与されている。
【００２５】
また、前記昇降体１４の一側下部に、突起部１６を備えると共に、前記昇降体１４の他側下部に、保持手段としての係止爪部１７を備えている。そして、前記本体２には、前記係止爪部１７と係合可能な図示しない係止部を備えた保持手段としての可動係止体１８を備えている。この可動係止体１８は、軸部１９を回動軸として回動自在であると共に、その下部に図示しない鉄板が設けられている。更に、前記可動係止体１８の下方には、保持手段としての電磁石２０が設けられている。また、前記本体２は、前記突起部１６の下方にレバースイッチ２１，２２を有する。これらのレバースイッチ２１，２２は、何れも、前記昇降レバー６が下降位置にある時に前記突起部１６に接触し、機械的に接点が閉じるような位置に設けられている。
【００２６】
図３は、本発明の第１実施例に係る前記トースター１の回路構成図である。前記制御ユニット４は、前記レバースイッチ２１，２２、電源回路２３Ａ、制御回路２４Ａ、切替手段としてのリレー２５を有している。なお、前記リレー２５は、図示しない樹脂製の黒いケースに覆われている。また、図３における前記レバースイッチ２１、前記ヒーター１３および前記レバースイッチ２２からなる直列回路において、前記ヒーター１３の一端とレバースイッチ２２の間に、前記リレー２５のリレー接点２５ａを挿入接続している。これにより、ＡＣ１００Ｖの商用電源２７からの交流電流が、前記レバースイッチ２１、前記ヒーター１３、前記リレー接点２５ａ、前記レバースイッチ２２からなる直列回路に供給される構成となっている。また、前記電源回路２３Ａは、前記ヒーター１３の他端に接続されており、前記商用電源２７からの交流電流が前記電源回路２３Ａにも供給される構成となっている。そして、前記電磁石２０の一端及びリレーコイル２５ｂの一端が、前記電源回路２３Ａに接続されている。更に、前記電磁石２０の他端には、トランジスタ２８のコレクタ端子が接続され、前記リレーコイル２５ｂの他端には、トランジスタ２９のコレクタ端子が接続され、前記トランジスタ２８および前記トランジスタ２９のエミッタ端子同士を接続して、その接続点が前記レバースイッチ２２と前記リレー接点２５ａとの接続点と接続されている。これにより、前記電源回路２３Ａからの直流電流Ｉ３が、前記電磁石２０及び前記トランジスタ２８からなる直列回路に供給されると共に、前記電源回路２３Ａからの直流電流Ｉ４が、前記リレーコイル２５ｂ及び前記トランジスタ２９からなる直列回路に供給される構成となっている。前記トランジスタ２８および前記トランジスタ２９のベース端子は、それぞれ前記制御回路２４Ａに接続されている。また、前記制御回路２４Ａは、図示しない前記可変抵抗により時間を設定する計時手段としてのタイマー２６を備えている。
【００２７】
次に、上記構成のトースター１に関し、図４を参照してその動作概要を説明する。図４において、（Ａ）は前記電磁石２０を流れる電流Ｉ３、（Ｂ）は前記リレーコイル２５ｂを流れる電流Ｉ４、（Ｃ）は前記ヒーター１３の他端から前記電源回路２３Ａへ流れる電流Ｉ２、（Ｄ）は前記ヒーター１３を流れる電流Ｉ１の波形を示している。
【００２８】
使用者は、予め、前記本体１に設けられた図示しない電源コードを前記商用電源２７に接続した状態で、前記回動摘み９を操作して、前記タイマー２６の計時時間を適宜設定する。そして、前記食パンを前記開口部から前記パン受け部７に挿入する。更に、前記昇降レバー６を下げることで、この昇降レバー６と連動する前記パン受け部７が下降し、前記食パンが前記ヒーター１３間に配置される。そして、前記昇降体１４の前記係止爪部１７が前記可動係止体１８の係止部に係止して、前記昇降レバー６および前記可動係止体１４が仮固定される。また、前記昇降レバー６を下げることで、前記昇降体１４の前記突起部１６が前記レバースイッチ２１，２２に接触し、前記レバースイッチ２１，２２の接点が閉じる。そして図４における（１）に示すように、前記商用電源２７からの交流電流Ｉ２が前記電源回路２３Ａに供給される。この電流Ｉ２は、前記電流Ｉ１と比較して十分に小さい。また、前記電源回路２３Ａにより、前記制御回路２４Ａに直流電流Ｉ５が供給される。前記タイマー２６の設定した計時時間が終了していない時は、前記制御回路２４Ａにより、前記トランジスタ２８がＯＮに切り替えられ、前記電磁石２０への電流Ｉ３の通電が開始される。そして、前記可動係止体１８の鉄板が前記電磁石２０に磁着し、この可動係止体１８の回動が阻止されることにより、前記昇降レバー６及び前記昇降体１４が固定される。
【００２９】
次に、図４における（２）に示すように、前記制御回路２４Ａは、前記トランジスタ２８をＯＮに切り替えてから時間ｔ１の経過後に、前記トランジスタ２９をＯＮに切り替えて、前記リレーコイル２５ｂへの電流Ｉ４の通電が開始される。そして、前記リレーコイル２５ｂへの通電が開始されると、前記リレー接点２５ａが閉じ、前記ヒーター１３に商用電源２７からの交流電流Ｉ１が流れる。
【００３０】
その後、前記タイマー２６の設定した計時時間が終了すると、図４における（３）に示すように、前記制御回路２４Ａによりトランジスタ２９がＯＦＦに切り替えられ、前記リレーコイル２５ｂへの電流Ｉ４の通電が停止することにより、前記リレー接点２５ａが開いて前記ヒーター１３への通電が停止する。
【００３１】
そして図４における（４）に示すように、前記トランジスタ２９をＯＦＦに切り替えてから時間ｔ２の経過後に、前記制御回路２４は、前記トランジスタ２８をＯＦＦに切り替え、前記電磁石２０への電流Ｉ３の通電を停止させる。この電磁石２０への通電が停止すると、この電磁石２０の磁力によって回動阻止されていた前記可動係止体１８が、前記軸部１９を回動中心として回動可能となる。ここで、伸張した前記コイルバネ１５により、前記昇降レバー６および前記昇降体１４が上向きに付勢されているので、この付勢力によって前記可動係止体１８の係止部が上方に持ち上げられることで、この前記可動係止体１８が回動し、前記係止爪部１７と前記可動係止体１８の係止部との係合が解除される。更に、前記コイルバネ１５が復元し、前記昇降体１４の突起部１６が上昇することにより、前記レバースイッチ２１，２２の接点が開いて、前記電源回路２３Ａへの交流電流Ｉ２の供給を停止する。
【００３２】
以上のように、本実施例の前記トースター１は、前記本体２内に設けられた加熱部としての前記ヒーター１３と、前記本体２内に昇降可能に設けられた前記パン受け部７と、このパン受け部７を昇降操作するための前記昇降レバー６と、この昇降レバー６を下降位置で保持する保持手段としての前記係止爪部１７、前記可動係止体１８及び前記電磁石２０と、計時手段としての前記タイマー２６を有し、このタイマー２６の計時終了後に前記電磁石２０への通電を遮断して前記昇降レバー６を非保持状態にする制御手段としての前記制御ユニット４とを備え、この制御ユニット４が切替手段としての前記リレー２５を有し、このリレー２５を介して前記タイマー２６の計時に基づき前記ヒーター１３への通電と非通電を切り替えるものであり、機械的な理由で前記昇降レバー６が下降位置より戻らなくなった場合でも、前記タイマー２６の設定した時間が経過した際に前記ヒーター１３への通電と非通電を切り替えることで、前記トースター１の安全性を高めることができる。
【００３３】
また、本実施例の前記トースター１は、前記制御ユニット４が、前記タイマー２６の計時終了後に、前記ヒーター１３への通電を遮断するよう、前記リレー２５を制御するものであり、機械的な理由で前記昇降レバー６が下降位置より戻らなくなった場合でも、前記タイマー２６の設定した時間が経過した際に前記ヒーター１３への通電を停止することで、前記食パンが加熱され続けて危険な状態になる虞を防止することができる。
【００３４】
また、本実施例の前記トースター１は、前記制御ユニット４が、前記係止爪部１７、前記可動係止体１８及び前記電磁石２０が前記昇降レバー６を下降位置で保持し、時間ｔ１の経過後に前記ヒーター１３への通電を実行するように前記リレー２５を制御するので、前記昇降レバー６を押し下げて前記レバースイッチ２１，２２の接点が閉じた瞬間に、大電流である電流Ｉ１が流れず、前記レバースイッチ２１，２２の接点から火花が発生することを防止することができる。
【００３５】
また、本実施例の前記トースター１は、前記制御ユニット４が、前記タイマー２６の計時終了後、前記ヒーター１３への通電を遮断するように前記リレー２５を制御し、時間ｔ２の経過後に前記電磁石２０への通電を遮断することにより、前記昇降レバー６を非保持状態にするので、前記レバースイッチ２１，２２の接点において、前記昇降レバー６の上昇前に大電流である電流Ｉ１が流れておらず、前記昇降レバー６が上昇して前記レバースイッチ２１，２２の接点が開いた瞬間に火花が発生することを防止することができる。
【００３６】
更に、本実施例の前記トースター１は、前記リレー２５が、樹脂製の黒いケースに覆われていることにより、前記リレー接点２５ａが閉じる瞬間、又は前記リレー接点２５ａが開く瞬間に、このリレー接点２５ａから火花が発生したとしても、前記リレー２５を覆うケースの外から火花が見えないため、使用者に不安感を与える虞が生じない。
【００３７】
次に、本発明の第２実施例に係るトースター１の回路について、図５に基づいて説明する。なお、第１実施例と構成と動作が重複するものについては同一の符号を付し、その説明を省略する。
【００３８】
第２実施例に係るトースター１の回路は、第1実施例に係るトースターの回路におけるリレー２５およびトランジスタ２９に代えて、リレー４０、リレー駆動回路４１およびリレー用電源回路４２を追加しており、ヒーター１３の一端とレバースイッチ２２との間に前記リレー４０のリレー接点４０ａが挿入接続され、トランジスタ２８のエミッタ端子がヒーター１３の一端と前記リレー接点４０ａとの接続点に接続されている。なお、電源回路２３Ａは、従来例と同様に、前記ヒーター１３の接続点１３ａに接続され、前記電源回路２３Ａにより、制御回路２４Ａに直流電流Ｉ７が供給される。また、前記リレー用電源回路４２は、前記ヒーター１３と並列に接続されており、前記リレー駆動回路４１に駆動電流を供給する。なお、前記リレー用電源回路４２には、前記ヒーター１３に流れる電流Ｉ１に比べて非常に小さい電流Ｉ８しか流れない。従って、前記レバースイッチ２１，２２が閉じた瞬間には、小さな電流Ｉ８が前記レバースイッチ２１，２２の接点に流れるだけなので、火花が発生しない。そして、前記リレー駆動回路４１は、前記レバースイッチ２１，２２が閉じられた後、僅かに遅れて前記リレー用電源回路４２から駆動電流が供給されると、自動的に前記リレー接点４０ａを閉じ、前記ヒーター１３に商用電源２７からの交流電源が流れる。その後、前記タイマー２６の設定した計時時間が終了すると、前記制御回路２４Ａからのリレー開放信号により、前記リレー駆動回路４１が前記リレー接点４０ａを開放させる。これにより、前記ヒーター１３への通電は停止する。前記ヒーター１３への通電が停止されると、前記制御回路２４Ａは、前記電磁石２０への電流の供給を停止する。この電磁石２０への通電が停止すると、第１実施例と同様に、前記昇降体１４の突起部１６が上昇することにより、前記レバースイッチ２１，２２の接点が開いて、前記電源回路２３Ａへの交流電流の供給を停止する。
【００３９】
このように回路を構成しても、前記タイマー２６の計時終了後に前記ヒーター１３への通電を遮断するように、前記制御ユニット４が前記リレー４０を制御することにより、食パンが加熱され続けて危険な状態になる虞を防止することができる。また、前記レバースイッチ２１，２２が閉じられた後、僅かに遅れて、前記係止爪部１７、前記可動係止体１８及び前記電磁石２０が前記昇降レバー６を下降位置で保持すると同時に、前記ヒーター１３への通電を実行するように動作することにより、前記昇降レバー６を押し下げて前記レバースイッチ２１，２２の接点が閉じた瞬間に火花が発生することを防止することができる。そして、前記タイマー２６の計時終了後、前記ヒーター１３への通電を遮断した後、前記電磁石２０への通電を遮断して前記昇降レバー６を非保持状態にするように前記リレー４０を制御するので、前記昇降レバー６が上昇して前記レバースイッチ２１，２２の接点が開いた瞬間に火花が発生することを防止することができる。
【００４０】
なお、本発明は上述した実施例に限定されるものではなく、本発明の要旨の範囲内において、種々の変形実施が可能である。例えば、上記第1実施例では、タイマー２６で設定される時間は１つだけであり、前記タイマー２６の計時終了後にヒーター１３への通電を遮断するように制御回路２４Ａがリレー２５を制御するが、タイマー２６で設定される時間を複数にして、第１の設定時間で前記ヒーター１３への通電を開始し、第２の設定時間でこのヒーター１３への通電を遮断するように前記リレー２５の制御を構成しても構わない。また、ヒーター１３、レバースイッチ２１，２２、電磁石２０、タイマー２６、トランジスタ２８，２９について適宜変更可能である。
【符号の説明】
【００４１】
１  トースター
４  制御ユニット（制御手段）
６  昇降レバー
７  パン受け部
１３  ヒーター（加熱部）
１７  係止爪部（保持手段）
１８  可動係止体（保持手段）
２０  電磁石（保持手段）
２１，２２  レバースイッチ
２３Ａ  電源回路
２４Ａ  制御回路
２５  リレー（切替手段）
２６  タイマー（計時手段）
【図１】
2015159908.tif 000003
【図２】
2015159908.tif 000004
【図３】
2015159908.tif 000005
【図４】
2015159908.tif 000006
【図５】
2015159908.tif 000007
【図６】
2015159908.tif 000008